(57)【要約】【課題】管状の光源を使用した場合においても、その軸方向において均一で、かつ、高輝度な光を照射することが可能な走査装置用照明装置および印刷物読取装置を提供することを目的とする。【解決手段】照明部４４は、その外周部に集光部材としてのプリズムシート１０１が装着された一対の蛍光灯１０２と、蛍光灯１０２から出射された光を印刷物としての印刷用紙１００に向けて反射するための凹面ミラー１０３とを有する。プリズムシート１０１は、蛍光灯１０２の軸方向に拡散する光を蛍光灯１０２の軸と直交する方向に集光する集光部材として機能するものであり、その表面に蛍光灯１０２の軸と直交する方向を向く微小な略三角柱状の凸部が、蛍光灯１０２の軸方向に連続して形成された構成を有する。【選択図】        図１０
2005035116.tif 000002
【特許請求の範囲】
【請求項１】
管状の光源と、
前記光源と被照明物との間に配設され、前記光源の軸方向に拡散する光を前記光源の軸と直交する方向に集光する集光部材と、
を備えることを特徴とする走査装置用照明装置。
【請求項２】
請求項１に記載の走査装置用照明装置において、
前記集光部材は、その表面に前記光源の軸と直交する方向を向く微小な略三角柱状の凸部が前記光源の軸方向に連続して形成される走査装置用光源装置。
【請求項３】
請求項２に記載の走査装置用照明装置において、
前記集光部材は、前記光源の外周部に装着された樹脂製シートから構成される走査装置用照明装置。
【請求項４】
照明部と、撮像部と、印刷物を前記照明部および前記撮像部に対して相対的に移動させる移動機構とを備え、印刷物を前記照明部および前記撮像部により走査して印刷物の画像を読み取る印刷物読取装置において、
前記照明部は、
管状の光源と、
前記光源のと被照明物との間に配設され、前記光源の軸方向に拡散する光を前記光源の軸と直交する方向に集光する集光部材と、
を備えたことを特徴とする印刷物読取装置。
【請求項５】
請求項４に記載の印刷物読取装置において、
前記集光部材は、その表面に前記光源の軸と直交する方向を向く微小な略三角柱状の凸部が前記光源の軸方向に連続して形成され、前記光源の外周部に装着された樹脂製シートから構成される印刷物読取装置。
【請求項６】
請求項５に記載の印刷物読取装置において、
前記集光部材は、前記光源における印刷物読取装置の読取領域の両端部に相当する位置に配置される印刷物読取装置。
【請求項７】
請求項４乃至請求項６のいずれかに記載の印刷物読取装置において、
前記照明部および撮像部は、印刷機における排紙部近傍に配置されており、
前記移動機構は、印刷が終了した印刷用紙を排紙部に排出する排紙機構から構成される印刷物読取装置。
【発明の詳細な説明】
【０００１】
【発明の属する技術分野】
この発明は、走査装置用照明装置および印刷物読取装置に関する。
【０００２】
【従来の技術】
例えば、印刷機におけるインキの供給量や湿し水の供給量を制御するためには、印刷物読取装置が使用される。そして、この印刷物読取装置として、印刷物を照明部および撮像部に対して相対的に移動させることにより、照明部により印刷物を照明しながら撮像部により印刷物の画像を読み取る走査式のものも使用される（例えば、特許文献１参照）。
【０００３】
【特許文献１】特開２００２−３５５９５０
【０００４】
このような走査式の印刷物読取装置においては、光源として蛍光灯等の管状の光源が使用される。そして、照明部においては、管状の光源から照射された光を効率的に利用するため、光源の後部には凹面鏡等の反射鏡が配設される。
【０００５】
【発明が解決しようとする課題】
このような印刷物読取装置に使用される照明部においては、線状に均一でかつ照度の高い光を印刷物に照射する必要がある。しかしながら従来の照明部においては、反射鏡により管状の光源の軸と直交する方向の集光は行われているが、管状の光源の軸方向の集光は実施されていないというのが実情である。このため、光源として蛍光灯等の管状の光源を使用した場合、光源の長手方向において中央部に相当する部分で照度が高く、両端部で照度が低いという現象が発生していた。
【０００６】
この発明は上記課題を解決するためになされたものであり、管状の光源を使用した場合においても、その軸方向において均一で、かつ、高輝度な光を照射することが可能な走査装置用照明装置および印刷物読取装置を提供することを目的とする。
【０００７】
【課題を解決するための手段】
請求項１に記載の発明は、管状の光源と、前記光源と被照明物との間に配設され、前記光源の軸方向に拡散する光を前記光源の軸と直交する方向に集光する集光部材とを備えることを特徴とする。
【０００８】
請求項２に記載の発明は、請求項１に記載の発明において、前記集光部材は、その表面に前記光源の軸と直交する方向を向く微小な略三角柱状の凸部が前記光源の軸方向に連続して形成されている。
【０００９】
請求項３に記載の発明は、請求項２に記載の発明において、前記集光部材は、前記光源の外周部に装着された樹脂製シートから構成されている。
【００１０】
請求項４に記載の発明は、照明部と、撮像部と、印刷物を前記照明部および前記撮像部に対して相対的に移動させる移動機構とを備え、印刷物を前記照明部および前記撮像部により走査して印刷物の画像を読み取る印刷物読取装置において、前記照明部は、管状の光源と、前記光源のと被照明物との間に配設され、前記光源の軸方向に拡散する光を前記光源の軸と直交する方向に集光する集光部材とを備えたことを特徴とする。
【００１１】
請求項５に記載の発明は、請求項４に記載の発明において、前記集光部材は、その表面に前記光源の軸と直交する方向を向く微小な略三角柱状の凸部が前記光源の軸方向に連続して形成され、前記光源の外周部に装着された樹脂製シートから構成される。
【００１２】
請求項６に記載の発明は、請求項５に記載の発明において、前記集光部材は、前記光源における印刷物読取装置の読取領域の両端部に相当する位置に配置される。
【００１３】
請求項７に記載の発明は、請求項４乃至請求項６のいずれかに記載の発明において、前記照明部および撮像部は、印刷機における排紙部近傍に配置されており、前記移動機構は、印刷が終了した印刷用紙を排紙部に排出する排紙機構から構成される。
【００１４】
【発明の実施の形態】
以下、この発明の実施の形態を図面に基づいて説明する。
【００１５】
［オフセット印刷機の構成］
【００１６】
最初に、この発明に係る印刷物読取装置４０を適用するオフセット印刷機の構成について説明する。図１はこの発明に係る印刷物読取装置４０を適用するオフセット印刷機の概要図である。
【００１７】
このオフセット印刷機は、第１、第２の版胴１１、１２に保持された画像が記録されていない印刷版に画像を記録して製版した後、この印刷版に供給されたインキを第１、第２のブランケット胴１３、１４を介して圧胴１５に保持された印刷用紙に転写することにより印刷を行うものである。
【００１８】
このオフセット印刷機は、図１において実線で示す第１の印刷位置と二点鎖線で示す画像記録位置との間を移動可能な第１の版胴１１と、図１において実線で示す第２の印刷位置と上記画像記録位置との間を移動可能な第２の版胴１２とを有する。
【００１９】
第１の印刷位置に移動した第１の版胴１１の周囲には、印刷版に例えばブラック（Ｋ）のインキを供給するためのインキ供給装置２０ａと、印刷版に例えばマゼンタ（Ｍ）のインキを供給するためのインキ供給装置２０ｂと、印刷版に湿し水を供給するための湿し水供給装置２１ａ、２１ｂとが配置されている。また、第２の印刷位置に移動した第２の版胴１２の周囲には、印刷版に例えばシアン（Ｃ）のインキを供給するためのインキ供給装置２０ｃと、印刷版に例えばイエロー（Ｙ）のインキを供給するためのインキ供給装置２０ｄと、印刷版に湿し水を供給するための湿し水供給装置２１ｃ、２１ｄとが配置されている。さらに、画像記録位置に移動した第１の版胴１１または第２の版胴１２の周囲には、給版部２３と、排版部２４と、画像記録装置２５と、現像処理装置２６とが配置されている。
【００２０】
また、このオフセット印刷機は、第１の版胴１１と当接可能に設けられた第１のブランケット胴１３と、第２の版胴１２と当接可能に設けられた第２のブランケット胴１４と、第１、第２のブランケット胴１３、１４に対して互いに異なる位置で当接可能に設けられた圧胴１５と、給紙部２７から供給された印刷用紙を圧胴１５に渡すための給紙胴１６と、圧胴１５から受け取った印刷済の印刷用紙を排紙部２８に排出するためのチェーン１９を巻回した排紙胴１７と、印刷用紙に印刷された検出パッチの濃度を測定するためのこの発明に係る印刷物読取装置４０と、ブランケット洗浄装置２９とを有する。
【００２１】
上記第１、第２の版胴１１、１２は、それぞれ図示しない版胴移動機構と連結されており、この版胴移動機構の駆動により、上述した第１または第２の印刷位置と画像記録位置との間を往復移動する。また、図示しないモータの駆動により、第１の版胴１１は、第１の印刷位置において第１のブランケット胴１３と同期して回転し、第２の版胴１２は、第２の印刷位置において第２のブランケット胴１４と同期して回転するよう構成されている。さらに、画像記録位置近傍には、図示しない版胴回転機構が配設されており、第１、第２の版胴１１、１２は、いずれも、画像記録位置に移動した状態において、この版胴回転機構の駆動により回転するよう構成されている。
【００２２】
画像記録位置に移動した第１の版胴１１または第２の版胴１２の周囲には、給版部２３と排版部２４とが配置されている。
【００２３】
給版部２３には、画像が記録されていない長尺ロール状の印刷版を光密な状態で収納する供給カセット６３と、この供給カセット６３から引き出した印刷版の先端部を第１の版胴１１または第２の版胴１２の表面に案内するためのガイド部材６４およびガイドローラ６５と、長尺の印刷版を切断してシート状の印刷版とするためのカッター６６とが配設されている。また、第１、第２の版胴１１、１２には、給版部２３より供給された印刷版の先端部と後端部とをくわえるための図示しない一対のくわえ爪が配設されている。
【００２４】
排版部２４は、印刷完了後に第１の版胴１１または第２の版胴１２上に保持された印刷版を剥がすための爪機構７３と、爪機構７３の作用により剥がされた印刷版を排出カセット６８に搬送するためのコンベア機構６９と、排出カセット６８を有する。
【００２５】
給版部２３における供給カセット６３から引き出された印刷版の先端部は、ガイドローラ６５およびガイド部材６４により案内され、第１の版胴１１または第２の版胴１２の一方のくわえ爪にくわえられる。そして、第１の版胴１１または第２の版胴１２が版胴回転機構３０の駆動により回転し、印刷版が第１の版胴１１または第２の版胴１２の外周部に巻き付けられる。そして、カッター６６で切断された印刷版の後端部は、他方のくわえ爪によりくわえられる。この状態において、第１の版胴１１または第２の版胴１２を低速で回転させながら、画像記録装置２５により第１の版胴１１または第２の版胴１２の外周部に保持された印刷版の表面に変調されたレーザビームを照射し、画像を記録する。
【００２６】
なお、第１の版胴１１の外周部に装着された印刷版Ｐには、画像記録装置２５により、図２（ａ）に示すように、ブラックのインキで印刷を行うための画像領域６７ａと、マゼンタのインキで印刷を行うための画像領域６７ｂとが記録される。また、第２の版胴１２の外周部に装着された印刷版Ｐには、画像記録装置２５により、図２（ｂ）に示すように、シアンのインキで印刷を行うための画像領域６７ｃと、イエローのインキで印刷を行うための画像領域６７ｄとが記録される。画像領域６７ａと画像領域６７ｂとは、第１の版胴１１の外周部に装着された状態において、均等に振り分けられた状態（すなわち互いに１８０度離隔した状態）となる位置に記録される。同様に、画像領域６７ｃと画像領域６７ｄとは、第２の版胴１２の外周部に装着された状態において、均等に振り分けられた状態（すなわち互いに１８０度離隔した状態）となる位置に記録される。
【００２７】
再度図１を参照して、上述したように、第１の印刷位置に移動した第１の版胴１１の周囲には、インキ供給装置２０ａとインキ供給装置２０ｂとが、また、第２の印刷位置に移動した第２の版胴１２の周囲には、インキ供給装置２０ｃとインキ供給装置２０ｄとが配置されている。これらのインキ供給装置２０ａ、２０ｂ、２０ｃおよび２０ｄ（これらを総称する場合には「インキ供給装置２０」という）は、各々、複数のインキローラ７１とインキ供給部７２とを有する。
【００２８】
インキ供給装置２０ａ、２０ｂのインキローラ７１は、図示しないカム等の作用で揺動動作を行う。そして、この揺動動作により、第１の版胴１１の外周部に保持した印刷版Ｐに形成された２個の画像領域６７ａ、６７ｂのうちの任意の画像領域に、インキ供給装置２０ａまたは２０ｂのインキローラ７１が接触することにより、必要な画像領域にのみインキを供給しうる構成となっている。また、同様に、インキ供給装置２０ｃ、２０ｄのインキローラ７１も、図示しないカム等の作用で揺動動作を行う。そして、この揺動動作により、第２の版胴１２の外周部に保持した印刷版Ｐに形成された２個の画像領域６７ｃ、６７ｄのうちの任意の画像領域に、インキ供給装置２０ｃまたは２０ｄのインキローラ７１が接触することにより、必要な画像領域にのみインキを供給しうる構成となっている。
【００２９】
図３は上述したインキ供給部７２の側面概要図であり、図４はその平面図である。なお、図４においては、インキ３の図示を省略している。
【００３０】
このインキ供給部７２は、その軸線方向が印刷物の幅方向（印刷機による印刷方向と直交する方向）に向けて配置されたインキ元ローラ１と、印刷物の幅方向に対して分割されたＬ個の領域に対応してＬ個列設され、各々がインキ元ローラ１の外周面に対する開度を調整可能に構成されたインキキー２（１）、２（２）・・・２（Ｌ）（この明細書において、これらを総称する場合には「インキキー２」という）とを備え、これらのインキ元ローラ１とインキキー２とで構成されるインキつぼ内にインキ３を貯留可能な構成となっている。
【００３１】
各インキキー２の裏面側には、各インキキー２のインキ元ローラ１に対する開度を変更するために、インキキー２をインキ元ローラ１の表面に向けて各々押圧するための、Ｌ個の偏芯カム４が配設されている。これらの偏芯カム４は、各々、軸５を介して、偏芯カム４を回転駆動するためのＬ個のパルスモータ６と連結されている。
【００３２】
パルスモータ６に対し、インキキー駆動パルスを印加した場合には、パルスモータ６の駆動により軸５を中心に偏芯カム４が回転し、各インキキー２への押圧力が変更されることにより、各インキキー２のインキ元ローラ１に対する開度が変更され、印刷版へのインキの供給量が変更される。
【００３３】
再度図１を参照して、湿し水供給装置２１ａ、２１ｂ、２１ｃおよび２１ｄ（これらを総称する場合には「湿し水供給装置２１」という）は、上記インキ供給装置２０により印刷版Ｐにインキを供給する前に、印刷版Ｐに湿し水を供給するものである。これらの湿し水装置２１のうち、湿し水供給装置２１ａは印刷版Ｐにおける画像領域６７ａに、湿し水供給装置２１ｂは印刷版Ｐにおける画像領域６７ｂに、湿し水供給装置２１ｃは印刷版Ｐにおける画像領域６７ｃに、また、湿し水供給装置２１ｄは印刷版Ｐにおける画像領域６７ｄに、各々湿し水を供給する。
【００３４】
図５は、上述した湿し水供給装置２１ｂの側面概要図である。
【００３５】
この湿し水供給装置２１ｂは、湿し水を貯留する水舟３１と、図示しないモータの駆動により回転する水元ローラ３２とからなる湿し水供給部と、水元ローラ３２により供給された湿し水を第１の版胴１１の外周部に装着された印刷版の表面に転移させるための二本の水ローラ３３、３４とを備える。この湿し水供給装置においては、水元ローラ３２の回転数を変更することにより、印刷版の表面に供給する湿し水の供給量を調整することができる。
【００３６】
なお、他の３個の湿し水供給装置２１ａ、２１ｃ、２１ｄも、この湿し水供給装置２１ｂと同様の構成を有する。
【００３７】
再度図１を参照して、画像記録位置に移動した第１の版胴１１または第２の版胴１２の下方には、現像処理装置２６が配設されている。この現像処理装置２６は、現像部、定着部および絞り部を有し、図１において二点鎖線で示す待機位置と実線で示す現像処理位置との間を昇降可能に構成されている。
【００３８】
この現像処理装置２６によって画像記録装置２５により画像が記録された印刷版Ｐを現像処理する場合においては、第１の版胴１１または第２の版胴とともに回転する印刷版Ｐに対して、現像部、定着部および絞り部を順次接触させる。
【００３９】
第１、第２の版胴１１、１２と当接可能に設けられた第１、第２のブランケット胴１３、１４は、第１、第２の版胴１１、１２と同一の直径を有し、その外周部にはインキ転写用のブランケットが装着されている。そして、この第１、第２のブランケット胴１３、１４は、第１、第２の版胴１１、１２および圧胴１５に対し、図示しない胴入れ機構により接離自在な構成となっている。
【００４０】
第１、第２のブランケット胴１３、１４の間に配設されたブランケット洗浄装置２９は、巻き出しロールから複数の圧接ローラを介して巻き取りロールに至る経路に貼張された長尺の洗浄布に洗浄液を供給し、この洗浄布を第１、第２のブランケット胴１３、１４に対して当接させた上、摺動させることにより、第１、第２のブランケット胴１３、１４の表面を洗浄するものである。
【００４１】
第１、第２のブランケット胴１３、１４と当接可能に設けられた圧胴１５は、第１、第２の版胴１１、１２および第１、第２のブランケット胴１３、１４の直径の１／２の直径を有する。また、圧胴１５は、印刷用紙の先端を保持して搬送するための図示しないグリッパを有する。
【００４２】
また、圧胴１５に隣接して配設された給紙胴１６は、圧胴１５と同一の直径を有する。この給紙胴１６は、往復移動する吸着盤７４により給紙部２７から１枚ずつ供給された印刷用紙の先端部を図示しないグリッパにより保持して搬送する。グリッパにより保持された印刷用紙の先端部は、給紙胴１６から圧胴１５への印刷用紙の受け渡し時に、圧胴１５のグリッパにより保持される。
【００４３】
また、圧胴１５に隣接して配設された排紙胴１７は、圧胴１５と同一の直径を有する。この排紙胴１７は、その両端部に一対のチェーン１９を巻回した構造を有し、この一対のチェーン１９を連結する図示しない連結部材上に、各々後述するグリッパ４１が配設されている。圧胴１５のグリッパにより保持された印刷用紙の先端部は、圧胴１５から排紙胴１７への印刷用紙の受け渡し時に、排紙胴１７のいずれかのグリッパ４１により保持される。そして、この印刷用紙は、チェーン１９の移動に伴って、印刷物読取装置４０によりそこに印刷された検出パッチの濃度を測定された後、排紙部２８上に搬送されて排出される。
【００４４】
前記給紙胴１６は、図示しないベルトを介して駆動モータと連結されている。そして、給紙胴１６、圧胴１５、排紙胴１７、第１、第２のブランケット胴１３、１４は、各々その端部に付設された歯車により連結されている。さらに、第１のブランケット胴１３と第１の印刷位置に移動した第１の版胴１１、および、第２のブランケット胴１４と第２の印刷位置に移動した第２の版胴１２とは、その端部に付設された歯車により各々連結されている。従って、図示しない駆動モータの駆動により、これらの給紙胴１６、圧胴１５、排紙胴１７、第１、第２のブランケット胴１３、１４、第１、第２の版胴１１、１２は、互いに同期して回転する。
【００４５】
図６は、印刷物としての印刷用紙に印刷された検出パッチ等の濃度を測定するためのこの発明に係る印刷物読取装置４０を示す側面概要図である。
【００４６】
上述した一対のチェーン１９は、図１に示す排紙胴１７の両端部と一対の大径のスプロケット１８との間に無端状に掛け渡されている。そして、上述したように、一対のチェーン１９を連結する図示しない連結部材上には、各々、印刷用紙１００の先端部を咥えて搬送するためのグリッパ４１が配設されている。
【００４７】
なお、一対のチェーン１９の長さは、排紙胴１７の周長の整数倍の長さとなっており、チェーン１９上におけるグリッパ４１の配置間隔は、排紙胴７の周長と等しくなるように設定されている。そして、各グリッパ４１は、図示しないカム機構によって排紙胴７に設けられたグリッパと同期して開閉するように構成されており、排紙胴７から印刷用紙１００を受け取り、チェーン１９の回転に伴って印刷用紙１００を搬送した後、排紙部２８上に排出する。
【００４８】
この印刷用紙１００の搬送時には、印刷用紙１００の先端部のみをグリッパ４１により咥えて搬送するため、印刷用紙１００の後端は固定されていない状態で搬送されることになる。このため、この搬送時には、印刷用紙１００のばたつきが発生し、後述する印刷物読取装置４０による検出パッチの濃度測定動作に支障を来すことになる。このため、このオフセット印刷機においては、排紙部２８の前方側において印刷用紙１００の搬送状態を安定させる吸着ローラ４３を備えている。
【００４９】
この吸着ローラ４３は、その表面に微細な吸着孔を多数備えた中空状のローラから構成されており、その中空部は図示しない真空ポンプと接続されている。この吸着ローラ４３は、その軸線が一対のチェーン１９間に掛け渡されたグリッパ４１に対し平行となり、チェーン１９の下方通過位置と略同じ高さにその頂部が位置するように配置されている。
【００５０】
なお、吸着ローラ４３は、グリッパ４１の通過速度に合わせて回転駆動する、もしくは、回転自在に構成されている。従って、印刷用紙１００は、吸着ローラ４３上を通過する際には吸着ローラ４３の表面に吸着された状態となって搬送されることになり、この吸着ローラ４３上の部分では印刷用紙１００はばたつかない。なお吸着ローラ４３に代えて、前記印刷用紙１００を平面的に吸着するような吸着板部材を使用してもよい。
【００５１】
この発明に係る印刷物読取装置４０は、搬送される印刷物としての印刷用紙を照明する照明部４４と、この照明部４４により照明された印刷用紙１００上の検出パッチを撮像してその濃度を測定するための撮像部４５とを備える。また、上述した一対のチェーン１９等からなる印刷用紙１００の移動機構もこの発明に係る印刷物読取装置４０を構成する。照明部４４は、吸着ローラ４３に沿って配置され、吸着ローラ４３上の印刷用紙１００を照明する複数の線状光源からなり、チェーン１９の上下走行領域間に設けられている。
【００５２】
なお、この発明の特徴部分である照明部４４の構成については、後程、詳細に説明する。
【００５３】
撮像部４５は、遮光および防塵のための筐体４６と、この筐体内部に配置されたミラー４９、レンズ４８、ＣＣＤラインセンサ４７とを備える。この撮像部４５は、吸着ローラ４３上の印刷用紙１００の画像を照明部４４のスリットを通して撮像するものであり、ミラー４９で折り返された画像の入射光は、レンズ４８を通ってＣＣＤラインセンサ４７で受光される。
【００５４】
図７は、このオフセット印刷機の主要な電気的構成を示すブロック図である。このオフセット印刷機は、装置の制御に必要な動作プログラムが格納されたＲＯＭ１４１と、制御時にデータ等が一時的にストアされるＲＡＭ１４２と、論理演算を実行するＣＰＵ１４３とからなる制御部１４０を備える。この制御部は１４０は、インタフェース１４４を介して、インキ供給装置２０、湿し水供給装置２１、画像記録装置２５、現像処理装置２６、ブランケット洗浄装置２９、印刷物読取装置４０、第１、第２のブランケット胴１３、１４の胴入れ機構等における駆動部等の駆動信号を発生させる駆動回路１４５と接続されている。オフセット印刷機はこの制御部１４０により制御され、後述する製版動作および印刷動作を実行する。
【００５５】
［印刷動作］
【００５６】
次に、このオフセット印刷機による製版および印刷動作について説明する。図８は、このオフセット印刷機による製版および印刷動作の概要を示すフローチャートである。なお、この印刷および製版動作は、印刷用紙にイエロー、マゼンタ、シアン、ブラックの４色のインキで多色印刷を行う場合のものである。
【００５７】
まず、第１、第２の版胴１１、１２上において印刷版Ｐに画像を記録し、現像処理を行う製版工程を実行する（ステップＳ１）。この製版工程は、サブルーチンとしての図９のフローチャートに示す工程に従って実行される。
【００５８】
すなわち、最初に第１の版胴１１を、図１において二点鎖線で示す画像記録位置に移動させる（ステップＳ１１）。
【００５９】
次に、第１の版胴１１の外周に印刷版Ｐを供給する（ステップＳ１２）。この印刷版Ｐの供給は、供給カセット６３から引き出した印刷版Ｐの先頭部とカッター６６で切断された印刷版Ｐの後端部とを図示しない一対のくわえ爪でくわえることにより実行される。
【００６０】
続いて、第１の版胴１１の外周に保持された印刷版Ｐに画像を記録する（ステップＳ１３）。この画像の記録は、第１の版胴１１を低速で回転させるとともに、画像記録装置２５から第１の版胴１１の外周に保持された印刷版Ｐに変調されたレーザビームを照射することにより実行される。
【００６１】
次に、画像が記録された印刷版Ｐを現像処理する（ステップＳ１４）。この現像処理は、現像処理装置２６を図１において二点鎖線で示す待機位置から実線で示す現像処理位置まで上昇させた後、第１の版胴１１とともに回転する印刷版Ｐに対して、現像部、定着部および絞り部を順次接触させることにより実行される。
【００６２】
上記現像処理が終了すれば、第１の版胴１１を図１において実線で示す第１の印刷位置まで移動させる（ステップＳ１５）。
【００６３】
続いて、上記ステップＳ１１〜１５と同様の動作により、第２の版胴１２の外周に保持される印刷版Ｐに対する製版工程を実行する（ステップＳ１６〜２０）。  そして、第１、第２の版胴１１、１２の外周に保持される印刷版Ｐへの製版が終了すれば、製版工程を終了する。
【００６４】
再度図８を参照して、製版工程が完了すれば、第１、第２の版胴１１、１２上の印刷版Ｐを用いて印刷用紙に印刷を行う印刷工程を実行する（ステップＳ２）。この印刷工程は、次のようにして実行される。
【００６５】
すなわち、先ず、各湿し水供給装置２１および各インキ供給装置２０を第１、第２の版胴１１、１２上に保持された印刷版Ｐのうちの対応する画像領域とのみ当接させる。これにより、各画像領域６７ａ、６７ｂ、６７ｃ、６７ｄには対応する各湿し水供給装置２１および各インキ供給装置２０から湿し水とインキとが供給される。そして、印刷版Ｐに供給されたインキは、第１、第２のブランケット胴１３、１４の対応する領域に転写される。
【００６６】
そして、印刷用紙を給紙胴１６に供給する。この印刷用紙は、給紙胴１６から圧胴１５に渡される。この状態で、圧胴１５が回転を続けると、圧胴１５は、第１、第２の版胴１１、１２および第１、第２のブランケット胴１３、１４の１／２の直径を有することから、圧胴１５の外周部に保持された印刷用紙には、その１回転目においてブラックとシアンのインキが、また、その２回転目においてマゼンタとイエローのインキが転写される。
【００６７】
このようにして、４色の印刷が終了した印刷用紙の先端部は、圧胴１５から排紙胴１７に渡される。そして、４色の印刷が終了した印刷用紙は、一対のチェーン１９の駆動により、排紙部２８に向けて搬送され、印刷物読取装置４０において検出パッチの濃度を測定された後、排紙部２８上に排出される。
【００６８】
印刷工程が終了すれば、印刷に使用した印刷版Ｐを排出する（ステップＳ３）。この印刷版Ｐの排出を行うためには、最初に第１の版胴１１を、図１において二点鎖線で示す画像記録位置に移動させる。そして、第１の版胴１１を反時計回りに回転させるとともに、第１の版胴１１上に保持された印刷版Ｐの端部を爪機構７３により剥がした後、この印刷版Ｐをコンベア機構６９により案内して、排出カセット６８内に排出する。そして、第１の版胴１１を第１の印刷位置に復帰させた後、第２の版胴１２を第２の印刷位置から画像記録位置に移動させ、上記同様の動作を実行することにより、第２の版胴１２上に保持された印刷版Ｐを排出カセット６８内に排出する。
【００６９】
印刷版Ｐの排出工程が完了すれば、ブランケット胴洗浄装置２９により第１、第２のブランケット胴１３、１４を洗浄する（ステップＳ４）。
【００７０】
第１、第２のブランケット胴１３、１４の洗浄が終了すれば、さらに別の印刷物の印刷作業を行うか否かを確認する（ステップＳ５）。他の印刷作業を行う場合には、ステップ１〜４の動作を繰り返す。
【００７１】
印刷作業が終了した場合には、インキの洗浄を行う（ステップＳ６）。このインキの洗浄は、各インキ供給装置２０に配設された図示しないインキ洗浄装置により、各インキ供給装置２０におけるインキローラ７１やインキ供給部７２に付着するインキを除去および洗浄することにより実行される。
【００７２】
インキの洗浄工程が終了すれば、全ての工程を完了する。
【００７３】
［照明部４４の構成］
【００７４】
次に、この発明の特徴部分である印刷物読取装置４０における照明部４４の構成について説明する。図１０は照明部４４の要部を拡大して示す側面概要図である。
【００７５】
この照明部４４は、その外周部に集光部材としてのプリズムシート１０１が装着された一対の蛍光灯１０２と、蛍光灯１０２から出射された光を印刷物としての印刷用紙１００に向けて反射するための凹面ミラー１０３とを有する。蛍光灯１０２としては、凹面ミラー１０３方向により多くの構成が出射される構成のものが採用されている。そして、凹面ミラー１０３は、蛍光灯１０２の軸と直交する方向に拡がる光を集光して印刷用紙１００方向に反射する。
【００７６】
図１１は、蛍光灯１０２における外壁管１０４とその外周部に装着されたプリズムシート１０１との関係を示す一部拡大断面図であり、図１２はプリズムシート１０１を拡大して示す斜視図である。
【００７７】
プリズムシート１０１は、蛍光灯１０２の軸方向に拡散する光を蛍光灯１０２の軸と直交する方向に集光する集光部材として機能するものであり、その表面に蛍光灯１０２の軸と直交する方向を向く微小な略三角柱状の凸部が、蛍光灯１０２の軸方向に連続して形成された構成を有する。このプリズムシート１０１は、図１２に示すように、アクリル系樹脂からなる凹凸状のシート１０６とポリエステルフィルムからなるベースシート１０７とを積層した構成を有する。このプリズムシート１０１においては、ベースシート１０７側から入射した拡散光が略三角柱状の凸部の表面で屈折し、蛍光灯１０２の軸と直交する方向に集光されてシート１０６側から出射される。
【００７８】
図１３は、他の実施形態に係るプリズムシート１０８を拡大して示す斜視図である。
【００７９】
このプリズムシート１０８は、アクリル系樹脂からなる凹凸状のシート１１６とポリエステルフィルムからなるベースシート１１７とを積層した構成を有する。上述したプリズムシート１０１においては、蛍光灯１０２の軸と直交する方向を向く微小な略三角柱状の凸部が規則的に形成されているのに対し、このプルリズムシート１０８においては、略三角柱状の凸部が不規則に形成された構成となっている。このプリズムシート１０８においても、ベースシート１１７側から入射した拡散光が略三角柱状の凸部の表面で屈折し、蛍光灯１０２の軸と直交する方向に集光されてシート１１６側から出射される。
【００８０】
図１４は、さらに他の実施形態に係るプリズムシート１０９を拡大して示す斜視図である。
【００８１】
このプリズムシート１０９は、ポリカーボネート樹脂からなる単一の凹凸状のシートから構成される。上述したプリズムシート１０１、１０６においては、蛍光灯１０２の軸と直交する方向を向く微小な略三角柱状の凸部が規則的に形成されているのに対し、このプリズムシート１０９においては、三角柱の先端部分が丸みを帯びた形状を有する。このプリズムシート１０９においても、そこに入射した拡散光が略三角柱状の凸部の表面で屈折し、蛍光灯１０２の軸と直交する方向に集光されて出射される。
【００８２】
以上のようなプリズムシート１０１、１０８、１０９は、例えば、住友スリーエム株式会社から「輝度上昇フィルム」という名称で提供されている。
【００８３】
以上のような構成を有する照明部４４においては、蛍光灯１０２から出射された拡散光は、プリズムシート１０１、１０８、１０９に入射した後、略三角柱状の凸部の表面で屈折することにより蛍光灯１０２の軸と直交する方向（厳密には、蛍光灯１０２の軸と直交する方向に対して所定範囲の角度内）に集光される。そして、プリズムシート１０１、１０８、１０９から出射した光は、凹面ミラー１０３の作用により、蛍光灯１０２の軸と平行な方向に集光された後印刷用紙１００の表面に照射される。
【００８４】
このため、従来のように、光源の長手方向において中央部に相当する部分で照度が高く、両端部で照度が低いという現象の発生を有効に防止することができる。また、蛍光灯１０２から出射された光が蛍光灯１０２の軸と直交する方向に集光されることから、印刷用紙１００に照射される光の照度が向上することになる。従って、印刷物読取装置４０による画像の読取精度を向上させることが可能となる。
【００８５】
特に、印刷機の内部に印刷物読取装置４０を配置する場合、印刷機内部の凹凸構造やチェーン等の稼働部の存在により、散乱光が印刷物端部の測定に悪影響を及ぼす場合がある。しかしながら、本発明のように蛍光灯１０２の軸方向への光の散乱を極力防止することで、上述した散乱光による影響を少なくすることができるという効果もあることから、この発明は印刷機内に設置された印刷物読取装置４０に特に有用となる。
【００８６】
なお、蛍光灯１０２の軸方向の寸法が大きい場合においては、プリズムシート１０１、１０８、１０９を蛍光灯１０２の外周面全域に装着するのではなく、蛍光灯１０２における印刷物読取装置４０の読取領域Ｅの両端部に相当する位置にのみ装着することが好ましい。
【００８７】
以下、この点について説明する。図１５は、蛍光灯１０２とプリズムシート１０１との配置関係を示す正面図である。なお、他の実施形態に係るプリズムシート１０８、１０９も、このプリズムシート１０１と同様に配置される。
【００８８】
この図に示すように、プリズムシート１０１は、蛍光灯１０２における印刷物読取装置４０の読取領域Ｅの両端部に相当する位置に配置されている。
【００８９】
プリズムシート１０１、１０８、１０９に入射した光の一部はプリズムシート１０１、１０８、１０９を透過しないことから、プリズムシート１０１、１０８、１０９においては一定の光量損失が発生する。蛍光灯１０２の軸方向の寸法が比較的小さな場合には、この光量損失よりもプリズムシート１０１、１０８、１０９による集光効率の向上作用の方が大きいことから、プリズムシート１０１、１０８、１０９を蛍光灯１０２の外周面全域に装着することが好ましい。
【００９０】
一方、蛍光灯１０２の軸方向の寸法が比較的大きな場合には、上記の光量損失を考慮し、また、印刷物読取装置４０の読取領域Ｅの両端部に相当する位置において印刷用紙１００に照射される光の照度を向上させることにより蛍光灯１０２の軸方向の光の照度のバランスをとる目的から、プリズムシート１０１、１０８、１０９を蛍光灯１０２における印刷物読取装置４０の読取領域Ｅの両端部に相当する位置にのみ装着することが好ましい。このときのプリズムシート１０１、１０８、１０９の寸法等は、使用する蛍光灯１０２の長さ等に応じて適宜調整すればよい。
【００９１】
次に、印刷物読取装置４０における照明部４４の他の実施形態について説明する。図１６は、他の実施形態に係る照明部４４の要部を拡大して示す側面概要図である。なお、図１０に示す実施形態と同位置の部材については、同一の記号を付して詳細な説明を省略する。
【００９２】
上述して実施形態においては、プリズムシート１０１、１０８、１０９から出射した光を、一対の凹面ミラー１０３の作用により蛍光灯１０２の軸と平行な方向に集光した後、印刷用紙１００の表面に照射している。これに対してこの実施形態においては、蛍光灯１０２の軸と平行な方向にのみパワーを有する一対のシリンドリカルレンズ１０５の作用により、プリズムシート１０１、１０８、１０９から出射した光を蛍光灯１０２の軸と平行な方向に集光する構成となっている。
【００９３】
なお、上述した実施形態においては、この発明に係る印刷物読取装置４０を、オフセット印刷機における排紙部２８近傍に配置し、印刷が終了した印刷用紙１００を排紙部に排出する際に印刷用紙１００の画像を読み取る構成を採用している。オフセット印刷機の排紙部２８においては、多数の障害物が設置されていることから、複雑な光学系は採用し難いが、この発明に係る印刷物読取装置４０においては、プリズムシート１０１、１０８、１０９を利用した簡易な構成により、管状の蛍光灯１０２を使用した場合においても、その軸方向において均一で、かつ、高輝度な光を印刷用紙１００に照射することが可能となる。
【００９４】
但し、この発明はこのような構成に限定されるべきものではなく、印刷機とは独立した印刷物読取装置にこの発明を適用してもよい。また、上述した照明部４４と同様の構成を有する走査装置用照明装置を印刷物読取装置以外の走査装置に適用してもよい。
【００９５】
また、上述した実施形態においては、プリズムシート１０１、１０８、１０９を蛍光灯１０２の外周部に装着する構成としているが、プリズムシート１０１、１０８、１０９を、蛍光灯１０２から離隔した印刷用紙１００との間の位置に配置するようにしてもよい。
【００９６】
さらに、上述した実施形態においては、管状の光源として蛍光灯１０２を使用しているが、例えば、冷陰極管等の他の管状の光源を使用してもよい。
【００９７】
【発明の効果】
請求項１乃至請求項３に記載の発明によれば、管状の光源と被照明物との間に配設され、光源の軸方向に拡散する光を光源の軸と直交する方向に集光する集光部材を備えることから、その軸方向において均一で、かつ、高輝度な光を照射することが可能となる。
【００９８】
請求項４および請求項５に記載の発明によれば、照明部が、管状の光源と被照明物との間に配設され、光源の軸方向に拡散する光を光源の軸と直交する方向に集光する集光部材を備えることから、その軸方向において均一で、かつ、高輝度な光を照射することができ、印刷物読取装置による画像の読取精度を向上させることが可能となる。
【００９９】
請求項６に記載の発明によれば、集光部材が光源における印刷物読取装置の読取領域の両端部に相当する位置に配置されることから、軸方向の寸法が比較的大きな光源を使用した場合においても、その軸方向において均一で、かつ、高輝度な光を照射することが可能となる。
【０１００】
請求項７に記載の発明によれば、印刷機の構成を利用して印刷物の画像を正確に読み取ることが可能となる。
【図面の簡単な説明】
【図１】この発明に係る印刷物読取装置４０を適用するオフセット印刷機の側面概要図である。
【図２】印刷版Ｐ上における画像領域６７の配置を示す説明図である。
【図３】インキ供給部７２の側面概要図である。
【図４】インキ供給部７２の平面図である。
【図５】湿し水供給装置２１ｂの側面概要図である。
【図６】印刷物読取装置４０を示す側面概要図である。
【図７】オフセット印刷機の主要な電気的構成を示すブロック図である。
【図８】オフセット印刷機による製版および印刷動作の概要を示すフローチャートである。
【図９】製版工程を示すフローチャートである。
【図１０】照明部４４の要部を拡大して示す側面概要図である。
【図１１】蛍光灯１０２における外壁管１０４とその外周部に装着されたプリズムシート１０１との関係を示す一部拡大断面図である。
【図１２】プリズムシート１０１を拡大して示す斜視図である。
【図１３】他の実施形態に係るプリズムシート１０８を拡大して示す斜視図である。
【図１４】さらに他の実施形態に係るプリズムシート１０８を拡大して示す斜視図である。
【図１５】蛍光灯１０２とプリズムシート１０１との配置関係を示す正面図である。
【図１６】他の実施形態に係る照明部４４の要部を拡大して示す側面概要図である。
【符号の説明】
１１      第１の版胴
１２      第２の版胴
１３      第１のブランケット胴
１４      第２のブランケット胴
１５      圧胴
１６      給紙胴
１７      排紙胴
１８      スプロケット
１９      チェーン
２０      インキ供給装置
２１      湿し水供給装置
２３      給版部
２４      排版部
２５      画像記録装置
２６      現像処理装置
２７      給紙部
２８      排紙部
４０      印刷物読取装置
４１      グリッパ
４３      吸着ローラ
４４      照明部
４５      撮像部
４７      ＣＣＤカメラ
４８      レンズ
４９      ミラー
７２      インキ供給部
１００    印刷用紙
１０１    プリズムシート
１０２    蛍光灯
１０３    凹面ミラー
１０４    外壁管
１０５    シリンドリカルレンズ
１０６    シート
１０７    ベースシート
１０８    プリズムシート
１０９    プリズムシート
１１６    シート
１１７    ベースシート
１４０    制御部
Ｅ                読取領域
Ｐ        印刷版
【図１】
2005035116.tif 000003
【図２】
2005035116.tif 000004
【図３】
2005035116.tif 000005
【図４】
2005035116.tif 000006
【図５】
2005035116.tif 000007
【図６】
2005035116.tif 000008
【図７】
2005035116.tif 000009
【図８】
2005035116.tif 000010
【図９】
2005035116.tif 000011
【図１０】
2005035116.tif 000012
【図１１】
2005035116.tif 000013
【図１２】
2005035116.tif 000014
【図１３】
2005035116.tif 000015
【図１４】
2005035116.tif 000016
【図１５】
2005035116.tif 000017
【図１６】
2005035116.tif 000018